(57)【要約】【課題】  簡単な構成で、被走査面上の走査線の色ずれを目視で識別されるレベル以下にし、カラー画像における色ずれを低減して、画像品質の向上を図ることができる光走査装置を提供することを目的とする。【解決手段】  複数の光源から出射された複数のビームを光束化し、偏向手段１２の同一偏向面により、主走査方向に偏向走査された複数のビームを、各々の被走査面上に光スポットとして集光させる走査結像光学手段１４と、複数の光ビームＬＭ、ＬＣ、ＬＹ、ＬＢの光路を折り返し、各光ビームＬＭ、ＬＣ、ＬＹ、ＬＢを各々の被走査面上に導光する折り返しミラー１５とを備え、一つの光ビームは、偏向面に対し、上側ビームであり、また、一つの光ビームは、下側ビームとなるように、各光源と入射光学手段とを配設した光走査装置において、上側ビームと下側ビームとの被走査面上における走査線の湾曲を、上向きあるいは下向きのいずれかに一方に統一する。【選択図】  図３
2006011291.tif 000002
【特許請求の範囲】
【請求項１】
光ビームを発光する複数の光源と、この光源から出射された複数のビームを光束化し、偏向手段の同一偏向面に導光する入射光学手段と、前記偏向手段により主走査方向に偏向走査された複数のビームを、各々の被走査面上に光スポットとして集光させる走査結像光学手段と、この走査結像光学手段を通過する複数の光ビームの光路を折り返し、各光ビームを各々の前記被走査面上に導光する折り返しミラーとを備え、前記光ビームの内、少なくとも一つの光ビームは、前記偏向手段の偏向面に対し、副走査方向の上側から下向きの角度を持って入射する上側ビームであり、また、少なくとも一つの光ビームは、前記偏向手段の偏向面に対し、副走査方向の下側から上向きの角度を持って入射する下側ビームとなるように、前記各光源と前記入射光学手段とを配設した光走査装置において、
前記上側ビームと下側ビームとの前記被走査面上における走査線の湾曲を、上向きあるいは下向きのいずれか一方に統一するように構成したことを特徴とする光走査装置。
【請求項２】
光ビームを発光する複数の光源と、この光源から出射された複数のビームを光束化し、偏向手段の同一偏向面に導光する入射光学手段と、前記偏向手段により主走査方向に偏向走査された複数のビームを、各々の被走査面上に光スポットとして集光させる走査結像光学手段と、この走査結像光学手段を通過する複数の光ビームの光路を折り返し、各光ビームを各々の前記被走査面上に導光する折り返しミラーとを備え、前記光ビームの内、少なくとも一つの光ビームは、前記偏向手段の偏向面に対し、副走査方向の上側から下向きの角度を持って入射する上側ビームであり、また、少なくとも一つの光ビームは、前記偏向手段の偏向面に対し、副走査方向の下側から上向きの角度を持って入射する下側ビームとなるように、前記各光源と前記入射光学手段とを配設した光走査装置において、
前記上側ビームと下側ビームのうち、一方のビームの光路上に配設される折り返しミラーを偶数個とし、他方の光路上に配設される折り返しミラーを奇数個としたことを特徴とする光走査装置。
【請求項３】
光ビームを発光する複数の光源と、この光源から出射された複数のビームを光束化し、偏向手段の同一偏向面に導光する入射光学手段と、前記偏向手段により主走査方向に偏向走査された複数のビームを、各々の被走査面上に光スポットとして集光させる走査結像光学手段と、この走査結像光学手段を通過する複数の光ビームの光路を折り返し、各光ビームを各々の前記被走査面上に導光する折り返しミラーとを備え、前記光ビームの内、少なくとも一つの光ビームは、前記偏向手段の偏向面に対し、副走査方向の上側から下向きの角度を持って入射する上側ビームであり、また、少なくとも一つの光ビームは、前記偏向手段の偏向面に対し、副走査方向の下側から上向きの角度を持って入射する下側ビームとなるように、前記各光源と前記入射光学手段とを配設した光走査装置において、
前記上側ビームと下側ビームを、前記被走査面上に導光する折り返しミラーの数に、奇数差を設けたことを特徴とする光走査装置。
【発明の詳細な説明】
【技術分野】
【０００１】
本発明は、複写機、プリンターなどの画像形成装置において、複数の光ビームにより複数の被走査面を露光、走査する光走査装置に関し、特に簡単な構成で、カラー画像における色ずれを低減したものである。
【０００２】
フルカラーの複数ドラム式画像形成装置に用いられる光走査装置では、一つの光学箱に複数の光ビームを発光する光源を配置し、各光源からの複数の光ビームを、一つの光を偏向する偏向手段に入射し、反射された光ビームを、複数の感光体の各々の被走査面上に走査しているものがある。偏向手段としては、例えばポリゴンミラーなどが使用されている。そして、光走査装置全体のコンパクト化、コスト低減を図るには、偏向前光学手段の小型化が重要である。
【背景技術】
【０００３】
従来、このような点から偏向手段の偏向面の副走査方向（光ビームが偏向手段によって偏向される方向を主走査方向とし、この主走査方向と直交する方向、以下同じ）の寸法を縮小化するため、複数の光ビームを副走査方向に上下に振り分け、偏向手段の偏向面に各々角度をつけて入射させ、その偏向面で偏向された各光ビームを、結像レンズを通過した後、折り返しミラーで光路を折り返して分離を行い、各々の感光体の表面である被走査面上に結像するようにしたものがある（例えば、特許文献１参照）。
【特許文献１】特開２００３−１４９５７３号公報
【発明の開示】
【発明が解決しようとする課題】
【０００４】
上述の特許文献１記載の構成においては、図５に示す光走査装置の要部を模式的に示す概略図から明らかなように、光源である、例えば、半導体素子１Ｍ、１Ｃ、１Ｙ、１Ｂから出射された各光ビームＬＭ、ＬＣ、ＬＹ、ＬＢは、回転多面鏡などからなる偏向手段１２に対して各光ビームＬＭ、ＬＣ、ＬＹ、ＬＢが副走査方向ｙに角度差を持って入射している。図５では、反射光が入射光と重なるためにわざと角度を変えて示している。すなわち、図示しない結像レンズを通過した光ビームの内、光ビームＬＭ、ＬＣは、主走査方向ｘに平行で、かつ偏向手段１２の偏向面１２１に垂直である基準面（光軸Ｏ）に対して下向きに、偏向面１２１に入射する。これとは逆に、光ビームＬＹ、ＬＢは、上述の基準面Ｏに対して上向きに、偏向面１２１に入射する。そして、各光ビームＬＭ、ＬＣ、ＬＹ、ＬＢの光路上に設けられた折り返しミラーは、何れの光路上においても偶数個(２個)である。
【０００５】
この場合、図７乃至図９に示す走査湾曲発生原理図から理解されるように、偏向手段１２によって光ビームＬが偏向走査されるとき、偏向手段１２が回転していることに伴って、反射面１２１の出入り（ｄ）があることから、反射面１２１（偏向面）上で副走査方向ｙに反射点Ｐ１、Ｐ３（図８参照）が連続的に上下する。従って、反射面１２１から反射された反射光Ｌ１〜Ｌ３によって形成される走査線Ｌ０（光ビーム）は、図９に示すように湾曲してしまう。なお、図７乃至図９は、走査湾曲の発生を説明するための走査湾曲発生原理図で、図７は上面図を、図８は側面図を、図９は被走査面上での走査線の軌跡を模式的に示す模式図である。図９には、理解を容易にするため水平線ｘ０を点線で表示している。
【０００６】
各光ビームＬＭ、ＬＣ、ＬＹ、ＬＢは、各感光体の被走査面上に、主走査方向ｘに略直線状に結像するものの、光ビームＬＭ、ＬＣと光ビームＬＹ、ＬＢの結像走査線は、図6に示すように、上向き湾曲と、下向き湾曲に分かれる。図６は、この状態を模式的に誇張し、各感光体の被走査面上の各光ビームＬＭ、ＬＣ、ＬＹ、ＬＢの軌跡ＬＭ１、ＬＣ１、ＬＹ１、ＬＢ１として表している。実際には、入射光の角度によって軌跡の湾曲の大きさは異なっている。従って、主走査方向ｘの中央部で副走査方向に各色の結像位置を合わせた場合、書き込み開始と、書き込み終了との、副走査方向における位置ずれが生じ、場合によっては、１００μｍ以上となり、色ずれが目視で識別され、画像品質の低下を招来する、といった問題点があった。
【０００７】
このような問題を解決するために、上述の特許文献１では、偏向後光学手段の走査レンズを複雑な面形状として補正機能を持たせることによって改善することが提案されているが、偏向後光学手段の走査レンズを複雑な面形状として補正機能を持たせた場合には、走査線の湾曲は補正できるが、金型加工や成形の難易度があがるため、形状誤差や個体誤差、取付け誤差に悪影響を与えるという問題がある。
【０００８】
本発明は、上述した課題を解決するためになされたものであり、簡単な構成で、被走査面上の走査線の色ずれを目視で識別されるレベル以下にし、カラー画像における色ずれを低減して、画像品質の向上を図ることができる光走査装置を提供することを目的とする。
【課題を解決するための手段】
【０００９】
上記目的を達成するために、請求項１記載の発明では、光ビームを発光する複数の光源と、この光源から出射された複数のビームを光束化し、偏向手段の同一偏向面に導光する入射光学手段と、前記偏向手段により主走査方向に偏向走査された複数のビームを、各々の被走査面上に光スポットとして集光させる走査結像光学手段と、この走査結像光学手段を通過する複数の光ビームの光路を折り返し、各光ビームを各々の前記被走査面上に導光する折り返しミラーとを備え、前記光ビームの内、少なくとも一つの光ビームは、前記偏向手段の偏向面に対し、副走査方向の上側から下向きの角度を持って入射する上側ビームであり、また、少なくとも一つの光ビームは、前記偏向手段の偏向面に対し、副走査方向の下側から上向きの角度を持って入射する下側ビームとなるように、前記各光源と前記入射光学手段とを配設した光走査装置において、前記上側ビームと下側ビームとの前記被走査面上における走査線の湾曲を、上向きあるいは下向きのいずれか一方に統一するように構成している。
【００１０】
請求項２記載の発明では、光ビームを発光する複数の光源と、この光源から出射された複数のビームを光束化し、偏向手段の同一偏向面に導光する入射光学手段と、前記偏向手段により主走査方向に偏向走査された複数のビームを、各々の被走査面上に光スポットとして集光させる走査結像光学手段と、この走査結像光学手段を通過する複数の光ビームの光路を折り返し、各光ビームを各々の前記被走査面上に導光する折り返しミラーとを備え、前記光ビームの内、少なくとも一つの光ビームは、前記偏向手段の偏向面に対し、副走査方向の上側から下向きの角度を持って入射する上側ビームであり、また、少なくとも一つの光ビームは、前記偏向手段の偏向面に対し、副走査方向の下側から上向きの角度を持って入射する下側ビームとなるように、前記各光源と前記入射光学手段とを配設した光走査装置において、前記上側ビームと下側ビームのうち、一方のビームの光路上に配設される折り返しミラーを偶数個とし、他方の光路上に配設される折り返しミラーを奇数個として構成している。
【００１１】
請求項３記載の発明では、光ビームを発光する複数の光源と、この光源から出射された複数のビームを光束化し、偏向手段の同一偏向面に導光する入射光学手段と、前記偏向手段により主走査方向に偏向走査された複数のビームを、各々の被走査面上に光スポットとして集光させる走査結像光学手段と、この走査結像光学手段を通過する複数の光ビームの光路を折り返し、各光ビームを各々の前記被走査面上に導光する折り返しミラーとを備え、前記光ビームの内、少なくとも一つの光ビームは、前記偏向手段の偏向面に対し、副走査方向の上側から下向きの角度を持って入射する上側ビームであり、また、少なくとも一つの光ビームは、前記偏向手段の偏向面に対し、副走査方向の下側から上向きの角度を持って入射する下側ビームとなるように、前記各光源と前記入射光学手段とを配設した光走査装置において、前記上側ビームと下側ビームを、前記被走査面上に導光する折り返しミラーの数に、奇数差を設ける。
【発明の効果】
【００１２】
請求項１記載の発明の構成によれば、被走査面上の走査線の湾曲を、上向きあるいは下向きのいずれか一方に統一しているので、主走査方向の中央部で副走査方向に各色の結像位置を合わせたとしても、書き込み開始と、書き込み終了との副走査方向における位置ずれを低減させることが出来る。この結果、湾曲方向の違いに起因する色ずれは、目視で識別されるレベル以下となり、カラー画像における色ずれは低減され、画像品質の向上を図ることができる。
【００１３】
請求項２記載の発明の構成によれば、各ビームを被走査面上に導光する上側ビームと、下側ビームの光路上に配設される折り返しミラーの数に奇数差を設けることにより、被走査面上の走査線の湾曲を、上向きあるいは下向きのいずれか一方に統一している。従って、主走査方向の中央部で副走査方向に各色の結像位置を合わせたとしても、書き込み開始と、書き込み終了との副走査方向における位置ずれを低減させることが出来る。この結果、湾曲方向の違いに起因する色ずれは、目視で識別されるレベル以下となり、カラー画像における色ずれは低減され、画像品質の向上を図ることができる。また、その構成は、極めて簡単である、などといった効果を奏する。
【００１４】
請求項３記載の発明の構成によれば、上側ビームと下側ビームを、前記被走査面上に導光する折り返しミラーの数に、奇数差を設けることにより、被走査面上の走査線の湾曲を、上向きあるいは下向きのいずれか一方に統一している。従って、主走査方向の中央部で副走査方向に各色の結像位置を合わせたとしても、書き込み開始と、書き込み終了との副走査方向における位置ずれを低減させることが出来る。この結果、湾曲方向の違いに起因する色ずれは、目視で識別されるレベル以下となり、カラー画像における色ずれは低減され、画像品質の向上を図ることができる。また、その構成は、極めて簡単である、などといった効果を奏する。
【発明を実施するための最良の形態】
【００１５】
以下に、本発明の具体的な実施形態について図面を参照しながら説明する。図１は、本実施形態に係る光走査装置を画像形成装置としてのカラー複写機に適用した場合の全体構成を示す概略図である。なお、以下の説明において、カラー複写機では、一般的に、イエロー（Ｙ）、マゼンタ（Ｍ）、シアン（Ｃ）およびブラック（Ｂ）の各色成分に色分解された４種類の画像データと、各色成分Ｙ、Ｍ、ＣおよびＢのそれぞれに対応し、色成分毎に画像を形成するさまざまな部品や装置が４組利用されるので、各参照符号にＹ、Ｍ、ＣおよびＢを付加し、色成分毎の画像データと、それぞれに対応する部品や装置を識別する。
【００１６】
図1に示すように、光走査装置を備えた画像形成装置であるカラー複写機は、画像読取部２と
転写体としての用紙３１を１枚ずつ送り出す給紙部３と、この給紙部３から送り出された用紙３１を搬送する搬送部４と、用紙３１に転写すべきトナー画像を形成する作像部５と、作像部５で形成されたトナー画像を用紙３１に転写する転写部６と、転写部６で転写された用紙３１のトナー画像を定着する定着部７と、この定着部７から排出された用紙３１を受け取る排紙部８と、光ビームにより感光体５１上に静電潜像を形成する光走査装置１０とを具備している。
【００１７】
画像読取部２は、コンタクトガラス２１の下方から原稿の画像面に向けて光を照射するＬＥＤアレイや蛍光管ランプなどの光源２２と、この光源２２からの光を効率良く原稿の画像面に与えるための反射板２３と、原稿の画像面で反射された原稿反射光を直接に受けて反射させる第１ミラー２４と、この第１ミラー２４からの反射光を受けて反射させる第２ミラー２５と、この第２ミラー２５からの反射光を受けて反射させる第３ミラー２６と、この第３ミラー２６からの反射光を導入して集光するレンズ群（図示せず）を保持した鏡胴２７と、この鏡胴２７内のレンズ群で集光された原稿反射光を受光して電気信号（画像データ）に変換するＣＣＤ等の固体撮像部２８とから構成されている。なお、図１において、原稿反射光の光路を一点鎖線で示す。
【００１８】
給紙部３は、給紙トレイ３２に積載された用紙３１を給紙ローラー３３で１枚ずつ下流側へ送り出すように構成されている。
搬送部４は、給紙部３から送り出された用紙３１の搬送を案内する搬送ローラー４１と、この搬送部４の途中に配設された搬送ローラー（図示せず）と、これら搬送ローラーから用紙３１を受け取り、用紙３１の先端部を一旦停止させ斜め送りを規制（補正）して下流側の作像部５へ送り込むレジストローラー対（図示せず）とから構成されている。
【００１９】
作像部５は、ブラックトナー（Ｂ）を有する第１作像部５２、シアントナー（Ｃ）を有する第２作像部５３、マゼンタトナー（Ｍ）を有する第３作像部５４、イエロートナー（Ｙ）を有する第４作像部５５とから構成されている。第１乃至第４作像部５２、５３、５４、５５は、例えばドラム状の感光体５１と、感光体５１上に電荷を付与して感光体５１の表面を均一に帯電させる帯電装置５６と、感光体５１の表面上の静電潜像に現像剤を供給してトナー画像を形成する現像装置（画像形成部）５７と、感光体５１上の残留トナーを除去するファーブラシやクリーニングブレードを具備するクリーニング装置５８とから構成されている。
【００２０】
転写部６は、例えばフッ素系樹脂材料等からなる無端状の転写ベルト６１と、この転写ベルト６１を駆動する駆動ローラー６２及びテンションローラー（従動ローラー）６３と、各感光体５１と対向する位置にそれぞれ配置された１次転写ローラー６４（Ｍ、Ｃ、ＹおよびＢ）と、２次転写ローラー６５とからなり、用紙３１への画像転写機能と共に、用紙３１を下流側へ搬送する機能も有している。転写ベルト６１は、１次転写ローラー６４（Ｍ、Ｃ、ＹおよびＢ）と各感光体５１とで挟持された状態とされている。１次転写ローラー６４（Ｍ、Ｃ、ＹおよびＢ）は、感光体５１の表面に形成したトナー像を乱さずに転写ベルト６１に移行させる。２次転写ローラー６５は、転写ベルト６１に転写されたトナー像を用紙３１に転写する。転写ベルト６１内周側の適所には図示しないが、適所にガイドローラーが配設されている。なお、転写部６は、白黒画像のみを形成する場合、ブラックの１次転写ローラー６４（Ｂ）のみ使用して、他のマゼンタ、シアン、イエローの各１次転写ローラー６４（Ｍ、Ｃ、Ｙ）は感光体５１から離間される。
【００２１】
定着部７は、用紙３１に転写されたトナー像を安定な永久像とするものであり、例えば熱や圧力等のエネルギーを付与することにより、粉体状態のトナー像を溶融させるものである。具体的には、定着ローラー７１、加圧ローラー７２によって、用紙３１を挟み込みながら搬送し、その搬送過程において、熱や圧力等のエネルギーを付与するようになっている。
【００２２】
排紙部８は、定着部７から排出された用紙３１を、排紙ローラー８１を介して受け取り、永久像が印刷された用紙３１を収容するものである。
次に、作像部５の第１乃至第４作像部５２、５３、５４、５５の各感光体５１に光ビームを照射するマルチビームの光走査装置１０について、図２および図３面を参照しながら説明する。図２は、本発明の一実施形態に係る画像形成装置であるカラー複写機に適用した光走査装置の要部構成を示す部分平面図、図３は、図２に示した光走査装置を、光走査装置から被走査面上に向かう系の光軸に沿って切断した断面図である。なお、図２において、光源および入射光学手段は、簡略化のため１組のみを示し、他の３組は、図示をしていない。
【００２３】
マルチビームの光走査装置１０は、色成分ごとの画像データに対応する光ビームＬ（Ｙ、Ｍ、ＣおよびＢ）を発生する光源１１（Ｙ、Ｍ、ＣおよびＢ）と、像面(所定の位置に配置された結像対象物)例えば、各感光体５１の表面に向かって所定の線速度で偏向するただ１つの例えば、ポリゴンミラーなどからなる偏向手段１２などにより構成される。光源１１としては、例えば半導体レーザ素子などが用いられる。
【００２４】
各光源１１（Ｙ、Ｍ、ＣおよびＢ）と、偏向手段１２との間には、光源１１（Ｙ、Ｍ、ＣおよびＢ）から出射された光ビームＬ（Ｙ、Ｍ、ＣおよびＢ）の断面ビーム形状を所定の形状に整えるため、平行化用のコリメータレンズ１３１が光源１１（Ｙ、Ｍ、ＣおよびＢ）毎に配置され、全ての光ビームに共用で集光用のシリンドリカルレンズ１３２に折り返しミラーなどで集約し、入射するよう入射光学手段１３が配置されている。ここで、コリメータレンズ１３１は、光源１１（Ｍ、Ｃ、ＹおよびＢ）から出射された光ビームＬが広がり角を有しており、この光ビームＬを平行光にするために用いられている。また、シリンドリカルレンズ１３２は、偏向手段１２の面倒れによって、感光体５１に結像する点像に関して走査毎のピッチずれが発生するのを防止するために用いられている。
【００２５】
偏向手段１２と像面である感光体５１(図２においては、図示しない)との間には、偏向手段１２を介して偏向された光ビームＬ（Ｙ、Ｍ、ＣおよびＢ）を、感光体５１の所定の位置に、おおむね直線状に結像させるための共通の第１の結像レンズ１４１と、光ビームＬ（Ｙ、Ｍ、ＣおよびＢ）毎に設けられた第２の結像レンズ１４２（Ｙ、Ｍ、ＣおよびＢ）からなる走査結像光学手段１４および、この走査結像光学手段１４を通過する光ビームＬの光路を折り返し、光ビームＬを感光体５１の被走査面上に導光する折り返しミラー１５が配置されている。結像レンズは、アナモルフィック非球面レンズで構成され、上述のシリンドリカルレンズと同様に感光体５１上の点像に関して走査毎のピッチずれを防ぐ機能を有するとともに、点像が感光体５１上で主走査方向ｘに等速度で走査されるように補正する機能を有している。
【００２６】
而して、本発明に従い、光ビームＬ（Ｙ、Ｍ、ＣおよびＢ）の内、偏向手段１２の偏向面１２１に対し、副走査方向ｙの上側から下向きの角度を持って入射する上側ビームである光ビームＬＣ、ＬＭの光路上に配設される折り返しミラー１５は、何れも２（偶数個）である。これに対し、偏向手段１２の偏向面１２１に対し、副走査方向ｙの下側から上向きの角度を持って入射する下側ビームである光ビームＬＹ、ＬＢの光路上に配設される折り返しミラー１５は、何れも３個（奇数個）としてある。配置構成などの点から、上側ビームである光ビームＬＣ、ＬＭの光路上に配置される折り返しミラー１５を、偶数個とし、下側ビームである光ビームＬＹ、ＬＢの光路上に配置される折り返しミラー１５を、奇数個としても良いのは勿論である。すなわち、上側ビームである光ビームＬＣ、ＬＭと、下側ビームである光ビームＬＹ、ＬＢを、前記被走査面上に導光する折り返しミラー１５の数に、奇数差を設ければ良い。
【００２７】
次に、上述のように構成された、光走査装置１０を用いたカラー複写機の作用について、図４を参照しながら説明する。図４は、各感光体５１の被走査面上の各光ビームＬＭ、ＬＣ、ＬＹ、ＬＢの軌跡ＬＭ１、ＬＣ１、ＬＹ１、ＬＢ１を、誇張して模式的に表した模式図である。
【００２８】
図４から明らかなように、上側ビームである光ビームＬＣ、ＬＭの光路上に配置される折り返しミラー１５は、２個（偶数個）であり、感光体５１の被走査面上に照射される光ビームＬＭ、ＬＣの軌跡ＬＭ１、ＬＣ１は、上向湾曲となる。これに対して、下側ビームである光ビームＬＹ、ＬＢの光路上に配置される折り返しミラー１５は、３個（奇数個）であり、感光体５１の被走査面上に照射される光ビームＬＹ、ＬＢの軌跡ＬＹ１、ＬＢ１も上向湾曲となる。
【００２９】
以上の構成による本実施形態によれば、光ビームの被走査面上の走査線の湾曲を、上向きあるいは下向きのいずれか一方に統一しているので、主走査方向ｘの中央部で副走査方向に各色の結像位置を合わせたても、書き込み開始と、書き込み終了との副走査方向における位置ずれを低減させることが出来る。この結果、湾曲方向の違いに起因する色ずれは、目視で識別されるレベル以下となり、カラー画像における色ずれは低減され、画像品質の向上を図ることができる。また、その構成は、上側ビームと下側ビームの光路上に設ける折り返しミラーの数に、奇数差を設けるといった極めて簡単なものである。
【００３０】
なお、上述した実施形態は、本発明の好適な実施形態であるが、本発明はこれに限定されるものではなく、本発明の要旨を逸脱しない範囲において、種々変形実施可能である。例えば、本実施形態においては、ドラム状の感光体を使用しているが、感光体の形状には限定はなく、上述したドラム状以外の公知の形状を用いることができる。例えば、シート状、ベルト状、ウェブ状などの形状が挙げられる。
【産業上の利用可能性】
【００３１】
本発明の活用例としては、マルチビームの光走査装置を備えたカラーの画像形成装置が挙げられる。
【図面の簡単な説明】
【００３２】
【図１】本発明の実施形態に係る画像形成装置としてカラープリンタに適用した場合の一例の全体構成を示す概略図である。
【図２】本発明の一実施形態に係る画像形成装置であるカラー複写機に適用した光走査装置の要部構成を示す部分平面図である。
【図３】図２に示した光走査装置を、光走査装置から被走査面上に向かう系の光軸に沿って切断した断面図である。
【図４】各感光体５１の被走査面上の各光ビームＬＭ、ＬＣ、ＬＹ、ＬＢの軌跡ＬＭ１、ＬＣ１、ＬＹ１、ＬＢ１を、誇張して模式的に表した模式図である。
【図５】従来の光走査装置の要部概略図である。
【図６】図５に示す従来の光走査装置の被走査面上の各光ビームの軌跡を、誇張して模式的に表した模式図である。
【図７】走査湾曲発生原理を説明するための上面図である。
【図８】走査湾曲発生原理を説明するための側面図である。
【図９】走査湾曲発生原理を説明するための走査線の軌跡を模式的に示す模式図である。
【符号の説明】
【００３３】
１１      光源
１２      偏向手段
１２１    反射面
１３      入射光学手段
１４      走査結像光学手段
１５      折り返しミラー
Ｌ（ＬＭ、ＬＣ、ＬＹ、ＬＢ）      光ビーム
【図１】
2006011291.tif 000003
【図２】
2006011291.tif 000004
【図３】
2006011291.tif 000005
【図４】
2006011291.tif 000006
【図５】
2006011291.tif 000007
【図６】
2006011291.tif 000008
【図７】
2006011291.tif 000009
【図８】
2006011291.tif 000010
【図９】
2006011291.tif 000011